(57)【要約】【課題】二次電池の充電時間を短縮することができる電気掃除機を提供する。【解決手段】電気掃除機は、吸引風を発生させる掃除機用電動送風機と前記掃除機用電動送風機に電力を供給する二次電池とを有した掃除機本体と、空気中の塵埃を吸い込む吸引風を発生させる空清用電動送風機と充電電流を供給する電源回路とを有し、前記空清用電動送風機の吸気または排気の一部が前記電源回路に衝突し得るように設けられた充電台と、前記掃除機本体が前記充電台に取り付けられた状態で前記二次電池が前記電源回路から充電電流の供給を受ける際に前記空清用電動送風機に吸引風を発生させる制御装置と、を備えた。【選択図】図１
2017184817.tif 000002
【特許請求の範囲】
【請求項１】
吸引風を発生させる掃除機用電動送風機と前記掃除機用電動送風機に電力を供給する二次電池とを有した掃除機本体と、
空気中の塵埃を吸い込む吸引風を発生させる空清用電動送風機と充電電流を供給する電源回路とを有し、前記空清用電動送風機の吸気または排気の一部が前記電源回路に衝突し得るように設けられた充電台と、
前記掃除機本体が前記充電台に取り付けられた状態で前記二次電池が前記電源回路から充電電流の供給を受ける際に前記空清用電動送風機に吸引風を発生させる制御装置と、
を備えた電気掃除機。
【請求項２】
前記掃除機本体または前記充電台に設けられ、前記掃除機本体が前記充電台に取り付けられた状態で充電モードが設定されている際に前記充電モードが設定されていることを外部に報知する報知装置、
を備えた請求項１に記載の電気掃除機。
【請求項３】
前記制御装置は、前記掃除機本体が前記充電台に取り付けられた状態で充電モードが設定されている際に前記空清用電動送風機に吸引風を間欠的に発生させる請求項１または請求項２に記載の電気掃除機。
【請求項４】
前記電源回路の周囲の温度を検出する温度検出装置、
を備え、
前記制御装置は、前記掃除機本体が前記充電台に取り付けられた状態で充電モードが設定されている際に前記温度検出装置により検出された温度に基づいて前記空清用電動送風機に吸引風を発生させる請求項１から請求項３のいずれか１項に記載の電気掃除機。
【請求項５】
前記制御装置は、前記掃除機本体が前記充電台に取り付けられた状態で充電モードが設定されている際に前記空清用電動送風機の回転数が空気中の塵埃を吸引する際の回転数よりも小さくなるように前記空清用電動送風機に吸引風を発生させる請求項１から請求項４のいずれか１項に記載の電気掃除機。
【請求項６】
前記制御装置は、充電モードの種類に応じて前記空清用電動送風機の回転数を変化させる請求項１から請求項５のいずれか１項に記載の電気掃除機。
【請求項７】
前記制御装置は、充電モードが前記電源回路から前記二次電池への充電電流の供給を抑制するモードの場合に前記空清用電動送風機に吸引風を発生させない請求項６に記載の電気掃除機。
【請求項８】
前記空清用電動送風機の異常を検出する異常検出装置、
を備え、
前記電源回路は、前記掃除機本体が前記充電台に取り付けられた状態で充電モードが設定されている際に前記異常検出装置が前記空清用電動送風機の異常を検出した場合に前記空清用電動送風機が正常に吸引風を発生させている際の充電電流よりも少ない充電電流を前記二次電池に供給する請求項１から請求項５のいずれか１項に記載の電気掃除機。
【請求項９】
前記空清用電動送風機の異常を検出する異常検出装置、
を備え、
前記電源回路は、前記掃除機本体が前記充電台に取り付けられた状態で充電モードが設定されている際に前記異常検出装置が前記空清用電動送風機の異常を検出した場合に充電電流を前記二次電池に供給しない請求項１から請求項５のいずれか１項に記載の電気掃除機。
【発明の詳細な説明】
【技術分野】
【０００１】
この発明は、電気掃除機に関する。
【背景技術】
【０００２】
特許文献１は、電気掃除機を開示する。当該電気掃除機は、掃除機本体と充電台とを備える。掃除機本体は、掃除機用電動送風機と二次電池とを備える。充電台は、空清用電動送風機と電源回路とを備える。当該電気掃除機において、掃除機本体が充電台に取り付けられた状態で充電モードが設定されると、二次電池は、電源回路から充電電流の供給を受ける。
【先行技術文献】
【特許文献】
【０００３】
【特許文献１】特開２０１５−１８１６７５号公報
【発明の概要】
【発明が解決しようとする課題】
【０００４】
特許文献１に記載の電気掃除機において、充電電流の値は、充電回路の発熱により制約を受ける。このため、二次電池の充電時間の短縮も、充電回路の発熱により制約を受ける。
【０００５】
この発明は、上述の課題を解決するためになされた。この発明の目的は、二次電池の充電時間を短縮することができる電気掃除機を提供することである。
【課題を解決するための手段】
【０００６】
この発明に係る電気掃除機は、吸引風を発生させる掃除機用電動送風機と前記掃除機用電動送風機に電力を供給する二次電池とを有した掃除機本体と、空気中の塵埃を吸い込む吸引風を発生させる空清用電動送風機と充電電流を供給する電源回路とを有し、前記空清用電動送風機の吸気または排気の一部が前記電源回路に衝突し得るように設けられた充電台と、前記掃除機本体が前記充電台に取り付けられた状態で前記二次電池が前記電源回路から充電電流の供給を受ける際に前記空清用電動送風機に吸引風を発生させる制御装置と、を備えた。
【発明の効果】
【０００７】
この発明によれば、電源回路から充電電流の供給を受ける際、空清用電動送風機の吸気または排気の一部が電源回路に衝突する。この際、電源回路は、空清用電動送風機の吸気または排気の一部により冷却される。このため、充電電流の値を大きくすることができる。その結果、二次電池の充電時間を短縮することができる。
【図面の簡単な説明】
【０００８】
【図１】この発明の実施の形態１における電気掃除機の側面図である。
【図２】この発明の実施の形態１における電気掃除機の縦断面図である。
【図３】この発明の実施の形態１における電気掃除機の掃除機本体の側面図である。
【図４】この発明の実施の形態１における電気掃除機の充電台を前方から見た斜視図である。
【図５】この発明の実施の形態１における電気掃除機の充電台を後方から見た斜視図である。
【図６】この発明の実施の形態１における電気掃除機の充電台の縦断面図である。
【図７】この発明の実施の形態１における電気掃除機のブロック図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における電気掃除機の側面図である。図２はこの発明の実施の形態１における電気掃除機の縦断面図である。
【００１１】
図１と図２とに示すように、電気掃除機は、掃除機本体１と充電台２とを備える。
【００１２】
掃除機本体１は、コードレスタイプのスティック型掃除機である。掃除機本体１は、吸込具３と掃除機用電動送風機４と集塵部５と凸体６と二次電池７と手元スイッチ８と報知装置９と掃除機用制御装置１０とを備える。
【００１３】
充電台２は、空清用電動送風機１１と凹体１２と電源回路１３と電源ケーブル１４と電源プラグ１５と空清用制御装置１６とを備える。
【００１４】
掃除機本体１は、凸体６が充電台２の凹体１２に嵌め合せられることにより充電台２に取り付けられる。この際、二次電池７は、凸体６と充電台２の凹体１２と電源回路１３と電源ケーブル１４とを介して電源プラグ１５と電気的に接続される。この状態で電源プラグ１５が外部電源に接続されると、二次電池７は充電され得る。
【００１５】
次に、図３を用いて、掃除機本体１の動作を説明する。
図３はこの発明の実施の形態１における電気掃除機の掃除機本体の側面図である。
【００１６】
掃除機本体１において、掃除機用制御装置１０は、手元スイッチ８の操作状態に基づいて掃除機用電動送風機４を動作させる。この際、掃除機用電動送風機４は、二次電池７から電力の供給を受けて動作する。その結果、吸引風が発生する。当該吸引風により、床面の塵埃は、空気とともに吸込具３に吸い込まれる。当該塵埃は、空気とともに掃除機本体１の内部を通過して集塵部５に流入する。当該塵埃は、集塵部５により空気と分離される。この際、当該塵埃は、集塵部５に捕集される。これに対し、空気は、集塵部５から掃除機用電動送風機４に吸い込まれる。その後、当該空気は、掃除機本体１から排出される。
【００１７】
次に、図４から図６を用いて、充電台２を説明する。
図４はこの発明の実施の形態１における電気掃除機の充電台を前方から見た斜視図である。図５はこの発明の実施の形態１における電気掃除機の充電台を後方から見た斜視図である。図６はこの発明の実施の形態１における電気掃除機の充電台の縦断面図である。
【００１８】
図４に示すように、充電台２は、台座部１７と支柱部１８とを備える。台座部１７は、掃除機本体１の吸込具３を下方から支持し得るように設けられる。支柱部１８は、台座部１７から直立する。支柱部１８は、掃除機本体１の要部を下方から支持し得るように設けられる。
【００１９】
図５に示すように、充電台２は、吸気口１９と排気口２０とを備える。吸気口１９は、支柱部１８の裏面に形成される。排気口２０は、台座部１７の一側に形成される。
【００２０】
図６に示すように、充電台２は、主風路２１と冷却風路２２とを備える。主風路２１は、吸気口１９と排気口２０とをつなぐように形成される。冷却風路２２は、排気口２０の側とは反対側において主風路２１から分岐して形成される。
【００２１】
空清用電動送風機１１は、台座部１７の内部の中央に収納される。空清用電動送風機１１は、主風路２１に設けられる。電源回路１３と空清用制御装置１６とは、台座部１７の内部において排気口２０の側とは反対側に収納される。電源回路１３と空清用制御装置１６とは、冷却風路２２に設けられる。
【００２２】
充電台２は、空気清浄機として動作する。具体的には、空清用制御装置１６は、空清用電動送風機１１を動作させる。この際、空清用電動送風機１１は、外部電源から電力の供給を受けて動作する。その結果、吸引風が発生する。当該吸引風により、空気中の塵埃は、空気とともに吸気口１９に吸い込まれる。当該塵埃は、空気とともに主風路２１を通過する。当該塵埃は、充電台２の内部において捕集される。これに対し、空気は、主風路２１から空清用電動送風機１１に吸い込まれる。この際、空気の一部は、冷却風路２２を通過する。当該空気の一部は、電源回路１３と空清用制御装置１６とに衝突する。その後、当該空気の一部は、主風路２１の空気と合流する。その後、空気は、排気口２０から排出される。
【００２３】
次に、図７を用いて、二次電池７の充電を説明する。
図７はこの発明の実施の形態１における電気掃除機のブロック図である。
【００２４】
図７に示すように、手元スイッチ８は、充電電流切替部２３を備える。
【００２５】
充電電流切替部２３は、外部からの操作により設定された充電モードに基づいて二次電池７の充電電流の値を切り替える機能を備える。
【００２６】
報知装置９は、充電報知部２４を備える。
【００２７】
充電報知部２４は、情報を外部に報知する機能を備える。
【００２８】
掃除機用制御装置１０は、掃除機用電動送風機駆動部２５と二次電池電圧検出部２６と充電台接続検出部２７と充電電流検出部２８と充電電流制御部２９と充電制御部３０と掃除機用制御部３１を備える。
【００２９】
掃除機用電動送風機駆動部２５は、掃除機用電動送風機４を駆動する機能を備える。
【００３０】
二次電池電圧検出部２６は、二次電池７の電圧を検出する機能を備える。充電台接続検出部２７は、掃除機本体１が充電台２に接続されたことを検出する機能を備える。充電電流検出部２８は、充電台２から二次電池７への充電電流を検出する機能を備える。充電電流制御部２９は、充電台２から二次電池７への充電電流を制御する機能を備える。充電制御部３０は、充電台接続検出部２７の検出結果と充電電流検出部２８の検出結果とに基づいて充電電流制御部２９に対して充電台２から二次電池７への充電電流の制御を指示する機能を備える。
【００３１】
掃除機用制御部３１は、掃除機用電動送風機駆動部２５を制御する機能を備える。
【００３２】
掃除機用制御部３１は、充電電流切替部２３により切り替えられた充電電流の値に基づいて充電制御部３０を制御する機能を備える。
【００３３】
掃除機用制御部３１は、充電電流切替部２３により切り替えられた充電電流の値に基づいて充電報知部２４を制御する機能を備える。
【００３４】
空清用制御装置１６は、空清用電動送風機駆動部３２と空清用制御部３３とを備える。
【００３５】
空清用電動送風機駆動部３２は、空清用電動送風機１１を駆動する機能を備える。
【００３６】
空清用制御部３３は、空清用電動送風機駆動部３２を制御する機能を備える。
【００３７】
温度検出装置３４は、充電台２の内部において電源回路１３の周囲に設けられる。温度検出装置３４は、電源回路１３の周囲の温度を検出する機能を備える。
【００３８】
異常検出装置３５は、充電台２の内部において空清用電動送風機駆動部３２と空清用電動送風機１１との周囲に設けられる。異常検出装置３５は、空清用電動送風機１１の異常を検出する機能を備える。例えば、異常検出装置３５は、空清用電動送風機駆動部３２の異常温度を検出することで空清用電動送風機１１の異常を検出する機能を備える。
【００３９】
例えば、掃除機本体１が充電台２に取り付けられた状態で充電モードが設定されている際、掃除機用制御部３１は、充電モードが設定されていることを報知装置９に報知させる。この際、報知装置９は、予め設定された方法により報知動作を行う。例えば、報知装置９は、充電モードが設定されていることをＬＥＤの点灯により外部に報知する。
【００４０】
例えば、掃除機本体１が充電台２に取り付けられた状態で充電モードが設定されている際、掃除機用制御部３１は、冷却指令を空清用制御部３３に出力する。空清用制御部３３は、当該冷却指令に基づいて空清用電動送風機１１を動作させるように空清用電動送風機駆動部３２に対して指令を出力する。空清用電動送風機駆動部３２は、当該指令に基づいて空清用電動送風機１１を動作させる。
【００４１】
例えば、空清用制御部３３は、空清用電動送風機１１を間欠的に動作させるように空清用電動送風機駆動部３２に対して指令を出力する。空清用電動送風機駆動部３２は、当該指令に基づいて空清用電動送風機１１を間欠的に動作させる。その結果、吸引風が間欠的に発生する。当該吸引風の一部は、冷却風路２２を通過する。この際、当該吸引風の一部は、電源回路１３と空清用制御装置１６とに衝突する。電源回路１３と空清用制御装置１６とは、当該吸引風の一部により冷却される。
【００４２】
例えば、空清用制御部３３は、温度検出装置３４により検出された温度に基づいて空清用電動送風機１１を動作させるように空清用電動送風機駆動部３２に対して指令を出力する。空清用電動送風機駆動部３２は、温度検出装置３４により検出された温度に基づいて空清用電動送風機１１を動作させる。その結果、吸引風の速度が温度検出装置３４により検出された温度に応じて変化する。例えば、温度検出装置３４により検出された温度が低い場合は、吸引風の速度が下げられる。例えば、温度検出装置３４により検出された温度が低い場合は、吸引風の速度が上げられる。当該吸引風の一部は、冷却風路２２を通過する。この際、当該吸引風の一部は、電源回路１３と空清用制御装置１６とに衝突する。電源回路１３と空清用制御装置１６とは、当該吸引風の一部により冷却される。
【００４３】
例えば、空清用制御部３３は、空清用電動送風機１１の回転数が空気中の塵埃を吸引する際の回転数よりも小さくなるように空清用電動送風機駆動部３２に対して指令を出力する。空清用電動送風機駆動部３２は、当該指令に基づいて空清用電動送風機１１を動作させる。その結果、吸引風の速度は、空気中の塵埃を吸引する際よりも下がる。当該吸引風の一部は、冷却風路２２を通過する。この際、当該吸引風の一部は、電源回路１３と空清用制御装置１６とに衝突する。電源回路１３と空清用制御装置１６とは、当該吸引風の一部により冷却される。
【００４４】
例えば、空清用制御部３３は、空清用電動送風機駆動部３２に対して充電モードの種類に応じた指令を出力する。空清用電動送風機駆動部３２は、当該指令に基づいて空清用電動送風機１１を動作させる。その結果、吸引風の速度は、充電モードの種類に応じて変化する。例えば、充電モードが二次電池７の充電時間を短縮する急速充電モードの場合は、吸引風の速度が上げられる。当該吸引風の一部は、冷却風路２２を通過する。この際、当該吸引風の一部は、電源回路１３と空清用制御装置１６とに衝突する。電源回路１３と空清用制御装置１６とは、当該吸引風の一部により冷却される。
【００４５】
例えば、充電モードが電源回路１３から二次電池７への充電電流の供給を抑制するモードの場合、吸引風は発生しない。
【００４６】
例えば、異常検出装置３５が空清用電動送風機１１の異常を検出した際、空清用制御部３３は、空清用電動送風機１１が正常に吸引風を発生させている際の充電電流よりも少ない充電電流を二次電池７に供給するように掃除機用制御部３１に対して指令を出力する。掃除機用制御部３１は、当該指令を充電制御部３０に出力する。充電制御部３０は、当該指令に基づいて充電電流制御部２９を制御する。その結果、充電電流は、空清用電動送風機１１が正常に吸引風を発生させているときよりも少なくなる。
【００４７】
例えば、異常検出装置３５が空清用電動送風機１１の異常を検出した際、空清用制御部３３は、充電電流を二次電池７に供給しないように掃除機用制御部３１に対して指令を出力する。掃除機用制御部３１は、当該指令を充電制御部３０に出力する。充電制御部３０は、当該指令に基づいて充電電流制御部２９を制御する。その結果、充電電流は、二次電池７に供給されない。
【００４８】
以上で説明した実施の形態１によれば、充電モードが設定されている際、空清用電動送風機１１の吸気の一部が電源回路１３に衝突する。この際、電源回路１３は、空清用電動送風機１１の吸気の一部により冷却される。このため、冷却のためのファンを追加することなく、充電電流の値を大きくすることができる。その結果、二次電池７の充電時間を短縮することができる。
【００４９】
なお、空清用電動送風機１１の排気の一部を電源回路１３に衝突させてもよい。この場合、電源回路１３は、空清用電動送風機１１の排気の一部により冷却される。このため、充電電流の値を大きくすることができる。その結果、二次電池７の充電時間を短縮することができる。
【００５０】
また、充電モードが設定されている際、報知装置９は、充電モードが設定されていることを外部に報知する。このため、充電台２の空気清浄モードが設定されていないときに空清用電動送風機１１が動作しても、電気掃除機の故障ではないことを利用者に対して報知することができる。
【００５１】
なお、報知装置９を充電台２に設けてもよい。この場合も、電気掃除機の故障ではないことを利用者に対して報知することができる。
【００５２】
また、充電モードが設定されている際、空清用電動送風機１１は、吸引風を間欠的に発生させる。このため、空清用電動送風機１１の動作を必要最小限とし、騒音の低減および消費エネルギーの削減を実現することができる。
【００５３】
また、充電モードが設定されている際、空清用電動送風機１１は、温度検出装置３４により検出された温度に基づいて吸引風を発生させる。このため、空清用電動送風機１１の動作を必要最小限とし、騒音の低減および消費エネルギーの削減を実現することができる。
【００５４】
また、充電モードが設定されている際、空清用電動送風機１１の回転数は、空気中の塵埃を吸引する際の回転数よりも小さくなる。このため、空清用電動送風機１１の動作を必要最小限とし、騒音の低減および消費エネルギーの削減を実現することができる。
【００５５】
また、空清用電動送風機１１の回転数は、充電モードの種類に応じて変化する。このため、空清用電動送風機１１の動作を必要最小限とし、騒音の低減および消費エネルギーの削減を実現することができる。
【００５６】
また、充電モードが充電電流の供給を抑制するモードの場合、空清用電動送風機１１は、吸引風を発生させない。このため、電源回路１３の発熱量が少ない場合に空清用電動送風機１１の動作を不要とし、騒音の低減および消費エネルギーの削減を実現することができる。
【００５７】
また、充電モードが設定されている際に異常検出装置３５が空清用電動送風機１１の異常を検出した場合、電源回路１３は、空清用電動送風機１１が正常に吸引風を発生させている際の充電電流よりも少ない充電電流を二次電池７に供給することもある。この場合、空清用電動送風機１１が異常である場合でも、二次電池７の充電を維持することができる。
【００５８】
また、充電モードが設定されている際に異常検出装置３５が空清用電動送風機１１の異常を検出した場合、電源回路１３は、充電電流を二次電池７に供給しないこともある。このため、空清用電動送風機１１が異常である場合に、電源回路１３が発熱により故障することを防止できる。
【符号の説明】
【００５９】
１  掃除機本体、  ２  充電台、  ３  吸込具、  ４  掃除機用電動送風機、  ５  集塵部、  ６  凸体、  ７  二次電池、  ８  手元スイッチ、  ９  報知装置、  １０  掃除機用制御装置、  １１  空清用電動送風機、  １２  凹体、  １３  電源回路、  １４  電源ケーブル、１５  電源プラグ、  １６  空清用制御装置、  １７  台座部、  １８  支柱部、  １９  吸気口、  ２０  排気口、  ２１  主風路、  ２２  冷却風路、  ２３  充電電流切替部、  ２４  充電報知部、  ２５  掃除機用電動送風機駆動部、  ２６  二次電池電圧検出部、  ２７  充電台接続検出部、  ２８  充電電流検出部、  ２９  充電電流制御部、  ３０  充電制御部、  ３１  掃除機用制御部、  ３２  空清用電動送風機駆動部、  ３３  空清用制御部、  ３４  温度検出装置、  ３５  異常検出装置
【図１】
2017184817.tif 000003
【図２】
2017184817.tif 000004
【図３】
2017184817.tif 000005
【図４】
2017184817.tif 000006
【図５】
2017184817.tif 000007
【図６】
2017184817.tif 000008
【図７】
2017184817.tif 000009